(57)【要約】【課題】時間が経過しても崩壊しにくく、材料を調達しやすい。【解決手段】網袋体１０は、石材１１を収容した内網袋１３と、内網袋１３を収容すると共にその外側に石材１２を収容した外網袋１４とを備えている。石材１２を構成する石は、全体的に、石材１１を構成する石と比べて大きい。流水の通り道を横切るように網袋体１０を地面上に設置すると、降雨時等、土砂混じりの流水が網袋体１０を通過するごとに、石材１１及び１２の隙間に土砂が蓄積する。【選択図】図１
2018197443.tif 000002
【特許請求の範囲】
【請求項１】
地表に設置されて表土を流水から保護する表土保護体であって、
網袋と、
前記網袋に収容された複数個の石からなる石材と、を備えており、
前記石材の隙間を土砂混じりの流水が通過する際に前記石材の隙間に土砂を捕捉させることを特徴とする表土保護体。
【請求項２】
前記網袋内が、複数の区画が形成され且つ前記複数の区画同士が通水可能となるように仕切られており、
前記複数の区画のそれぞれに前記石材が収容されていることを特徴とする請求項１に記載の表土保護体。
【請求項３】
前記複数の区画が、複数の通水孔が形成された仕切り板によって仕切られていることを特徴とする請求項２に記載の表土保護体。
【請求項４】
前記網袋内の空間が内側の区画と外側の区画とに仕切られており、
前記内側の区画に収容された前記石材の単位体積当たりの個数が前記外側の区画に収容された前記石材の単位体積当たりの個数より大きいことを特徴とする請求項２又は３に記載の表土保護体。
【請求項５】
前記網袋が一方に開口した開口部を有しており、
前記開口部が露出するように地表に設置されることを特徴とする請求項１〜４のいずれか１項に記載の表土保護体。
【請求項６】
表土を流水から保護する方法であって、
複数個の石からなる石材が網袋内に収容された表土保護体を、流水の通り道を横切るように地表に設置する工程と、
地表に設置された前記表土保護体内の前記石材の隙間に土砂混じりの流水を通過させる際に前記石材の隙間に土砂を捕捉させる工程と、を備えていることを特徴とする表土保護方法。
【発明の詳細な説明】
【技術分野】
【０００１】
本発明は、表土保護体及び表土保護方法に関する。
【背景技術】
【０００２】
従来、流水による表土の流出を盛土等の形成により抑制する方法がある。特許文献１は、凝集剤を含有した土を粒状に形成し、これを流出防止材として用いるものである。この流出防止材をそのまま盛土とするか土嚢袋に詰めて積み上げる。これにより、降雨時、粒状の土の隙間から雨水をしみ出させて流すと共に、雨水と共に流れてきた土を盛土等によって堰き止められた場所に沈下させる（特許文献１の段落０００６〜００１２）。
【先行技術文献】
【特許文献】
【０００３】
【特許文献１】特開２００４−５２３２７号公報
【発明の概要】
【発明が解決しようとする課題】
【０００４】
特許文献１の方法によると、盛土を構成する粒状の土の隙間から雨水を流した際に、粒状の土が押し流されて盛土自体が崩壊するおそれがある。また、粒状の土を土嚢として用いる場合にも、土嚢袋の経年劣化により同様のおそれが生じる。つまり、表土の流出を抑制するための構築物が時間の経過とともに崩壊しやすくなるおそれがある。さらに、盛土等を形成する前にあらかじめ粒状の土を製造する必要があり、材料の調達が面倒である。
【０００５】
本発明の目的は、時間が経過しても崩壊しにくく、材料を調達しやすい表土保護体及び表土保護方法を提供することにある。
【課題を解決するための手段】
【０００６】
本発明の表土保護体は、地表に設置されて表土を流水から保護する表土保護体であって、網袋と、前記網袋に収容された複数個の石からなる石材と、を備えており、前記石材の隙間を土砂混じりの流水が通過する際に前記石材の隙間に土砂を捕捉させる。
【０００７】
本発明の表土保護体によると、これを地面上に設置してその場所の表土を覆うことにより、その設置場所からの表土の流出を抑制する。表土保護体の設置場所から離れた場所からの土砂混じりの流水が表土保護体に達すると、網袋を通じて流水が表土保護体の内部を通過する。このとき、表土保護体内には石材が収容されているので、表土保護体内に粒状の土等が収容されている場合と比べて収容物が流水に押し流されにくい。さらに、表土保護体内の石材の隙間を土砂混じりの流水が通過する際にその隙間に土砂が捕捉される。したがって、降雨時等、流水が表土保護体を通過する機会が生じるたびに石材の隙間に土砂が蓄積していく。表土保護体の石材の隙間に土砂が蓄積していくことで、表土保護体全体がその設置場所に定着して安定になる。つまり、時間経過に伴って崩壊しにくくなる。また、網袋内に収容する材料として石材を用いているので、自然材料をそのまま用いる等、材料を調達しやすい。
【０００８】
また、本発明においては、前記網袋内が、複数の区画が形成され且つ前記複数の区画同士が通水可能となるように仕切られており、前記複数の区画のそれぞれに前記石材が収容されていることが好ましい。これによると、流水が複数の区画を通ることにより流水の勢いが低下しやすい。よって、流水による表土の流出が抑制されやすい。また、石材の隙間に土砂が蓄積しやすくなり、表土保護体が設置場所に定着しやすくなる。
【０００９】
また、本発明においては、前記複数の区画が、複数の通水孔が形成された仕切り板によって仕切られていてもよい。これによると、仕切り板が流水の勢いを低下させると共に、表土保護体の形状を保持する。
【００１０】
また、本発明においては、前記網袋内の空間が内側の区画と外側の区画とに仕切られており、前記内側の区画に収容された前記石材の単位体積当たりの個数が前記外側の区画に収容された前記石材の単位体積当たりの個数より大きいことが好ましい。これによると、外側の区画には内側の区画と比べて大きい石が収容されていることになる。これにより、表土保護体の外形が保持されやすくなる。また、内側の区画に収容された外側の区画より小さい石には土砂が蓄積しやすい。このように、外形を保持しつつ土砂を蓄積しやすい表土保護体が実現する
【００１１】
また、本発明においては、前記網袋が一方に開口した開口部を有しており、前記開口部が露出するように地表に設置されることが好ましい。これによると、表土保護体を地表に設置した際に、内部の石材が網袋の開口部を通じて露出する。したがって、この石材の露出面を平らに均すことで、その上を歩きやすくすることができる。よって、山道等に設置するのに適したものとなる。また、開口部を通じて網袋内に石材を補充しやすい。
【００１２】
本発明の別の観点による表土保護方法は、表土を流水から保護する方法であって、複数個の石からなる石材が網袋内に収容された表土保護体を、流水の通り道を横切るように地表に設置する工程と、地表に設置された前記表土保護体内の前記石材の隙間に土砂混じりの流水を通過させる際に前記石材の隙間に土砂を捕捉させる工程と、を備えている。本発明の表土保護方法によると、流水の通り道を横切るように表土保護体を地面上に設置してその場所の表土を覆うことにより、その設置場所からの表土の流出を抑制する。土砂混じりの流水が表土保護体に達すると、網袋を通じて流水が表土保護体の内部を通過する。このとき、表土保護体内には石材が収容されているので、表土保護体内に粒状の土等が収容されている場合と比べて収容物が流水に押し流されにくい。さらに、表土保護体内の石材の隙間を土砂混じりの流水が通過する際にその隙間に土砂が捕捉される。したがって、降雨時等、流水が表土保護体を通過する機会が生じるたびに石材の隙間に土砂が蓄積していく。表土保護体の石材の隙間に土砂が蓄積していくことで、表土保護体全体がその設置場所に定着して安定になる。つまり、時間経過に伴って崩壊しにくくなる。また、網袋内に収容する材料として石材を用いているので、自然材料をそのまま用いる等、材料を調達しやすい。
【図面の簡単な説明】
【００１３】
【図１】本発明の一実施形態に係る網袋体の斜視図である。
【図２】図１の網袋体の内部構造を示す一部断面を含む正面図である。
【図３】図１の網袋体の設置態様を示す第１設置例の概要図である。
【図４】図１の網袋体の設置態様を示す第２設置例の概要図である。
【図５】図１の網袋体の設置態様を示す第３設置例の概要図である。
【図６】本発明の別の実施形態に係る網袋体の斜視図である。
【図７】図６の網袋体を構成する一部の部品からなる網袋体の分解斜視図である。
【発明を実施するための形態】
【００１４】
本発明の一実施形態である第１の実施形態に係る網袋体１０（表土保護体）及び網袋体１０を用いた表土保護方法について、図１〜図５を参照しつつ説明する。網袋体１０は、例えば、山道や傾斜地に形成された畑地等の地面上に設置して用いられる。網袋体１０は、図１及び図２に示すように、石材１１及び１２、内網袋１３、外網袋１４並びに絞り紐１５を備えている。石材１１及び１２は、いずれも、数ｃｍ〜数十ｃｍ程度の径を有する複数個の石からなる。石材１１は内網袋１３に収容されている。石材１１を収容した内網袋１３はさらに外網袋１４に収容されている。石材１２は、外網袋１４内における内網袋１３の周囲に収容されている。このように、外網袋１４内の空間は、内網袋１３によって、内網袋１３の内側の区画と内網袋１３の外側の区画とに仕切られている。そして、内側の区画には石材１１が、外側の区画には石材１２が収容されている。石材１１を構成する石は、おおむね、石材１２を構成する石より小さい。つまり、石材１１における単位体積当たりの石の個数は、石材１２における単位体積当たりの石の個数より大きい。ここで、「石材１１（１２）における単位体積当たりの個数」とは、石材１１（１２）を構成する石の総数を、石材１１（１２）を構成する石の合計の体積で除算した値である。
【００１５】
内網袋１３及び外網袋１４は、いずれも、複数本の紐が編み込まれた網によって形成されている。内網袋１３の網を形成する紐は合成樹脂製である。外網袋１４の網を形成する紐は、金属（ステンレス等）製の細い針金が数本縒り合わされたワイヤーの表面に合成樹脂製の被覆が施されたものである。このように、外網袋１４の強度は内網袋１３の強度より高くなるように調整されている。なお、外網袋１４の材質が内網袋１３の材質と同じであり、外網袋１４を形成する紐が内網袋１３を形成する紐より太いことでその強度が高められていてもよい。内網袋１３の網目は、石材１１を形成する石を通さない程度の細かさに調整されている。外網袋１４の網目は、内網袋１３の網目より粗く、石材１１を形成する石は通すが、石材１２を形成する石は通さない程度の粗さに調整されている。内網袋１３及び外網袋１４の両方とも上方に開口している。外網袋１４の開口部には、この開口部を絞る絞り紐１５が設けられている。絞り紐１５は、外網袋１４の網目に開口に沿って通されている。絞り紐１５を引っ張って適当な長さに絞ることにより、外網袋１４の開口の大きさを調整できる。石材１１及び１２は、内網袋１３及び外網袋１４の開口部を通じて外部に露出している。石材１１及び１２の露出面は、内網袋１３及び外網袋１４の開口部付近でなるべく平らになるように均されている。
【００１６】
網袋体１０は、石材１１を内網袋１３に、石材１２を外網袋１４にそれぞれ収容すると共に、石材１１を収容した内網袋１３を外網袋１４の石材１２より内側に収容することで作製される。石材１１及び１２は、設置場所の周辺に存在する自然石を収集して使用してもよいし、設置場所から離れた位置において準備したものを設置場所へと運び込んでもよい。網袋体１０の形状や石材１１及び１２の量は、設置場所の状況に応じて調整することが好ましい。
【００１７】
網袋体１０の第１の設置例について説明する。第１の設置例における設置場所は、降雨時に流水の通り道が形成される山道である。かかる山道において、流水の通り道には、流水の浸食作用により、図３に示すような窪地Ｒが生じることがある。これを放置すると、流水が勢いよく窪地Ｒ内に落ち込み、窪地Ｒの内表面にぶつかるため、窪地Ｒ内の土壌が流水によってますます流出していく。そこで、かかる窪地Ｒ内に、流水の通り道を横切るように１個以上の網袋体１０を設置する。網袋体１０は、窪地Ｒ内に、その開口部が窪地Ｒの外側に露出するように設置される。図３には窪地Ｒに網袋体１０が２個設置された様子が示されている。網袋体１０の設置により、窪地Ｒの内表面が網袋体１０で覆われる。網袋体１０によって窪地Ｒの内表面を覆うことで、流水が窪地Ｒの内表面に勢いよくぶつかるのが防止される。したがって、窪地Ｒの浸食（窪地Ｒ内の表土の流出）が進行しにくくなる。なお、網袋体１０の設置だけでは覆い切れなかった窪地Ｒの内表面や網袋体１０同士の隙間は、図３に示すように、網袋体１０より小さい石Ｓを詰めることで覆ってもよい。
【００１８】
窪地Ｒの網袋体１０に達した流水は、網袋体１０の外網袋１４の網目を通じて網袋体１０内に流入し、さらに、石材１１及び１２の隙間や内網袋１３の網目を通過する。この流水には、窪地Ｒより上流において流出した土砂（砂泥を含む）が混ざっていることがある。このような土砂が混ざった流水が石材１１及び１２を通過する際、その土砂は石材１１及び１２の隙間に捕捉（トラップ）される。降雨時等、網袋体１０を流水が通過する機会が生じるたびに石材１１及び１２の隙間に土砂が蓄積していく。このようにして網袋体１０の石材１１及び１２の隙間に土砂が蓄積していくと、網袋体１０の全体がその設置場所の表土と一体化するように定着する。
【００１９】
網袋体１０内は、内網袋１３により内側の区画と外側の区画とに仕切られている。流水は、内網袋１３を通じて外側の区画から内側の区画に流入したり、内側の区画から外側の区画に流出したりする。これにより、流水の勢いが低下するので、窪地Ｒの内表面に流水が勢いよくぶつかるのがさらに抑制される。また、石材１１及び１２の隙間に土砂が蓄積しやすくなる。
【００２０】
また、外網袋１４内における内網袋１３より外側の区画に収容された石材１２の石は、おおむね石材１１の石より大きい。したがって、かかる大きい石によって網袋体１０の外形が保持されやすい。一方、外網袋１４内における内網袋１３より内側の区画に収容された石材１１の石は、おおむね石材１２の石より小さい。このため、石材１１の隙間は比較的小さく、土砂をトラップしやすい。このように、網袋体１０は、外側の区画の石材１２によって外形を保持やすく、且つ、内側の区画の石材１１によって土砂を蓄積しやすいものとなっている。
【００２１】
また、網袋体１０が、窪地Ｒ内に、その開口部が窪地Ｒの外側に露出するように設置される。これにより、山道を歩く人が網袋体１０を踏む際、開口部を通じて外部に露出した石材１１及び１２の露出面を踏むことになる。したがって、内網袋１３及び外網袋１４が踏まれにくいので、内網袋１３及び外網袋１４が靴に引っかかったりしにくく、内網袋１３及び外網袋１４が消耗したり破損したりしにくい。また、石材１１及び１２の露出面がなるべく平らになるように均されているので、山道を歩く人が網袋体１０の上を歩きやすい。さらに、開口部を通じて石材を補充しやすい。
【００２２】
網袋体１０の設置後、網袋体１０の周囲に客土を施すと共に、植生マットを設置し、その上に播種してもよい。上記の通り、網袋体１０の石材１１及び１２の隙間には土砂が蓄積する。したがって、石材１１及び１２の隙間に植物の根が張り巡らされやすく、植生が網袋体１０に定着しやすい。鹿等の害獣による植生の被害が大きい地域でも、外網袋１４にワイヤーが用いられているため、害獣にかみちぎられたりしにくい。
【００２３】
従来、窪地Ｒのように落差のある流水の通り道の補修方法としては、滝壺にあたる土砂地盤を掘り下げ、窪地内に周辺から集めた石材を積み上げることで、窪地に流れ落ちる流水の勢いを低下させる工法が用いられている。しかし、かかる工法には多くの人員と機材が必要とされる。本実施形態の網袋体１０は、現地に存在する自然石を利用すれば、内網袋１３及び外網袋１４を現地に持ち込むだけで資材を準備できる。また、石材１１及び１２の量を加減したり、網袋体１０の形状を調整したりしやすい。このため、窪地Ｒの大きさや形状等、設置場所の状況に適切に応じて施工しやすい。よって、人員や特別な機材等を必要とせず、山道における流水の通り道を簡易に補修することができる。
【００２４】
網袋体１０の第２の設置例について説明する。第２の設置例における設置場所は、ガリー浸食等によって山道に形成された深いＶ字の溝内である。降雨時等、このＶ字の溝に沿って流水が通る。そこで、かかる溝Ｖ内に、流水の通り道を横切るように網袋体１０を設置する。図４には、複数個の網袋体１０が溝の底から順に積み重ねられた様子が示されている。かかる網袋体１０の積み重ね構造が流水の通り道に沿って複数個連続して構築されてもよい。これによって、溝Ｖの内表面が網袋体１０で覆われ、浸食の進行が抑制される。また、第１の設置例同様、時間の経過に伴って網袋体１０の石材１１及び１２の隙間に土砂が蓄積していき、網袋体１０の全体がその設置場所の表土と一体化するように定着する。第２の設置例のように網袋体１０を複数段に積み重ねる場合、下段に位置する網袋体１０には大きな荷重が発生する。これに対し、網袋体１０は、内側の区画の石材１１によって土砂の蓄積を確保しつつ外側の区画の石材１２によって外形も保持しやすいものである。このように、網袋体１０は大きな荷重に耐える構造でありつつ設置場所に定着しやすいものでもある。
【００２５】
網袋体１０の第３の設置例について説明する。第３の設置例における設置場所は、傾斜地に形成された階段状の土地（畑地等）である。かかる土地の段差部の土止めとして、図５に示すように、複数個の網袋体１０が各段差部に積み重ねられる。これにより、網袋体１０は、階段状の土地に沿って流れ落ちる流水の通り道を横切るように設置される。そして、第１及び第２の設置例同様、時間の経過に伴って、網袋体１０の石材１１及び１２の隙間に土砂が蓄積していき、網袋体１０の全体がその設置場所の表土と一体化するように定着する。また、第２の設置例と同様、積み重ねられた複数個の網袋体１０のうち下段に位置するものも、大きな荷重に耐えつつ設置場所に定着しやすい。
【００２６】
本発明の第２の実施形態に係る網袋体について図６及び図７を参照しつつ説明する。本網袋体において第１の実施形態に係る網袋体１０と共通の構成には上記と同じ符号を付し、その説明を適宜省略する。第２の実施形態に係る網袋体も、網袋体１０と同様、例えば、山道や傾斜地に形成された畑地等の地面上に設置して用いられる。第２の実施形態に係る網袋体は、網袋体１０における石材１１及びこれを収容する内網袋１３を、図６及び図７に示す石材１１及びこれを収容する内網袋２２に換えたものである。内網袋２２は、内網袋１３と同様、網目が外網袋１４の網目より細かく、石材１１を形成する石を通さない程度に調整されている。内網袋２２には仕切り部材２３が収容されている。仕切り部材２３は、１枚の仕切り板２４及び３枚の仕切り板２５によって構成されている。仕切り板２４及び２５は、いずれも硬質プラスチックによって構成されている。仕切り板２４及び２５のそれぞれには複数の通水孔２３ａが形成されている。３枚の仕切り板２５は、互いに平行に並ぶと共に仕切り板２４と交差するように仕切り板２４に固定されている。かかる仕切り部材２３により、内網袋２２内が複数の区画に仕切られている。この区画のそれぞれに石材１１が収容されている。仕切り部材２３は内網袋２２の形状を比較的扁平な形状に保持している。内網袋２２内に流入した流水は、仕切り板２４及び２５の通水孔２３ａを通じて区画から区画へと流れ込む。これにより、流水の勢いが低下する。
【００２７】
第２の実施形態に係る網袋体も、第１の実施形態に係る網袋体１０と同様、上述の第１〜第３の設置例のように設置することが可能である。また、降雨時等、網袋体を流水が通過する機会が生じるたびに石材１１及び１２の隙間に土砂が蓄積していく。このようにして網袋体の石材１１及び１２の隙間に土砂が蓄積していくと、網袋体全体がその設置場所と一体化するように定着する。第２の実施形態に係る網袋体は、内網袋２２によって内側の区画と外側の区画とに仕切られている。このため、流水の勢いが低下しやすく、石材１１及び１２の隙間に土砂が蓄積しやすい。また、内網袋２２内には仕切り部材２３が設けられ、これによって内網袋２２内がさらに複数の区画に仕切られている。これにより、流水が仕切り部材２３を通過して区画から区画へと流入する際にその勢いが低下する。よって、石材１１及び１２の隙間に土砂がさらに蓄積しやすい。その他、仕切り部材２３によって、イ）内網袋２２の形状が保持されやすくなり、ロ）石材１１が内網袋２２内で偏りにくくなると共に、ハ）内網袋２２の耐久性が向上する。その結果、網袋体全体の形状保持や耐久性の向上にも寄与する。
【００２８】
内網袋２２は、仕切り部材２３によって扁平な形状に保持される。このため、網袋体全体も扁平な形状に保持しやすい。かかる扁平な網袋体は、広い範囲の緩斜面に形成された植生のない裸地等に敷き詰める用途に適している。例えば、送電線の鉄塔が設置されている丘陵や山岳地の斜面は、上部構造体の鉄塔表面の累計面積が大きい。このため、降雨時等、鉄塔表面を伝って地表に流れ落ちる流水の量が大きくなる。このため、鉄塔下の表土の流出や鉄塔基礎部の洗掘等が発生しやすい。これにより、鉄塔の設置場所には裸地が形成されやすい。鉄塔下等に形成されるこのような裸地に第２の実施形態に係る網袋体を広範囲に設置する。かかる網袋体に蓄積する土砂には各種の植物の種子が含まれることがある。これらの種子のうち、その場所に適応可能な種子からの植物が生長することにより、大型の植生が形成される前段階の初期植生の回復が促される。
【００２９】
以上は、本発明の好適な実施形態についての説明であるが、本発明は上述の実施形態に限られるものではなく、課題を解決するための手段に記載された範囲の限りにおいて様々な変更が可能なものである。
【００３０】
上述の第１及び第２の実施形態においては、内網袋１３、２２や仕切り部材２３によって網袋体内が複数の区画に仕切られている。しかし、このような区画が形成されていなくてもよい。例えば、外網袋１４いっぱいに石材１２を詰めただけのものを網袋体として使用してもよい。本発明者が実施した実験によると、内部に区画分けのない構造の網袋体においても、流水が網袋体を通過することによって網袋体内の石材の隙間に土砂が蓄積した。
【００３１】
また、第１の実施形態では、石材１１を収容した内網袋１３が外網袋１４内に１個収容されている。しかし、石材１１を収容した内網袋１３が外網袋１４内に複数個収容されてもよい。
【００３２】
また、第２の実施形態では、仕切り部材２３と石材１１を収容した内網袋２２が第１の実施形態の内網袋１３の代わりに外網袋１４に収容されている。しかし、仕切り部材２３と石材１１を収容した内網袋２２が外網袋１４に収容されず、そのまま網袋体として使用されてもよい。この場合にも、仕切り部材２３によって網袋体内が複数の区画に仕切られているので、網袋体内に区画が設けられない場合と比べて石材の隙間に土砂が蓄積しやすい。
【００３３】
また、第１及び第２の実施形態では、内網袋１３、２２及び外網袋１４のいずれも一方に開口している。しかし、網袋体が開口していなくてもよい。例えば、網袋体１０において、絞り紐１５を用いて外網袋１４の開口部を絞り、開口を完全に閉塞してしまってもよい。
【００３４】
また、第１及び第２の実施形態に係る網袋体は、上述の第１〜第３の設置例の他、山道に設置される階段のステップや木道の基礎、泥濘地に設置される飛び石等として用いられてもよい。
【符号の説明】
【００３５】
１０  網袋体
１１、１２  石材
１３、２２  内網袋
１４  外袋網
２３  仕切り部材
２４、２５  仕切り板
【図１】
2018197443.tif 000003
【図２】
2018197443.tif 000004
【図３】
2018197443.tif 000005
【図４】
2018197443.tif 000006
【図５】
2018197443.tif 000007
【図６】
2018197443.tif 000008
【図７】
2018197443.tif 000009